(57)【要約】【課題】眼鏡フレームのそり角を容易にかつ正確に計測することができるフレームそり角測定ツールを、安価に提供すること。【解決手段】フレームそり角測定ツール１は、レンズ枠３１のブリッジ側ヤゲン溝３１１ｂに係合する係合爪部１２４ｂおよびブリッジ側ヤゲン溝３１１ｂに対向するテンプル側ヤゲン溝３１１ａに係合する係合爪部１２４ａを有し、ブリッジ側ヤゲン溝３１１ｂとテンプル側ヤゲン溝３１１ａとの間に差し渡されるように装着されるツール装着部１２と、記ツール装着部１２に固定され、係合爪部１２４ａと係合爪部１２４ｂとを結ぶ直線と平行な縁１１１を有するそり角測定用プレートと、を備える。【選択図】図５
2015152536.tif 000002
【特許請求の範囲】
【請求項１】
ブリッジを介して設けられた一対のレンズ枠を備える眼鏡フレームの、そり角測定に用いられるフレームそり角測定ツールであって、
前記レンズ枠のブリッジ側ヤゲン溝に係合する第１係合部および前記ブリッジ側ヤゲン溝に対向するテンプル側ヤゲン溝に係合する第２係合部を有し、前記ブリッジ側ヤゲン溝と前記テンプル側ヤゲン溝との間に差し渡されるように装着されるツール装着部と、
前記ツール装着部に固定され、前記第１係合部と前記第２係合部とを結ぶ直線と平行な縁を有するそり角測定用部材と、を備えたことを特徴とするフレームそり角測定ツール。
【請求項２】
請求項１に記載のフレームそり角測定ツールにおいて、
前記第１係合部と前記第２係合部との間隔が可変であることを特徴とするフレームそり角測定ツール。
【請求項３】
請求項２に記載のフレームそり角測定ツールにおいて、
前記第１係合部または前記第２係合部は、前記第１係合部と前記第２係合部とを結ぶ直線に沿ってスライド可能に構成されていることを特徴とするフレームそり角測定ツール。
【請求項４】
請求項２または３に記載のフレームそり角測定ツールにおいて、
前記第１係合部および前記第２係合部の少なくとも一方を、前記第１係合部と前記第２係合部との間隔が広くなる方向に付勢する弾性部材を備えたことを特徴とするフレームそり角測定ツール。
【請求項５】
請求項１乃至４のいずれか一項に記載のフレームそり角測定ツールにおいて、
前記第１係合部および前記第２係合部の先端形状は、先細り形状であることを特徴とするフレームそり角測定ツール。
【請求項６】
請求項１乃至５のいずれか一項に記載のフレームそり角測定ツールにおいて、
前記そり角測定用部材は、前記第１係合部と前記第２係合部とを結ぶ直線に対して平行に設けられた板部材であることを特徴とするフレームそり角測定ツール。
【請求項７】
請求項１乃至６のいずれか一項に記載のフレームそり角測定ツールによって測定されたそり角を用いて眼鏡のレンズを製造することを特徴とする眼鏡レンズ製造方法。
【発明の詳細な説明】
【技術分野】
【０００１】
本発明は、眼鏡フレームのフレームそり角の簡便な測定を可能とするフレームそり角測定ツール、および、そのフレームそり角測定ツールによって測定されたそり角を用いた眼鏡レンズ製造方法に関する。
【背景技術】
【０００２】
通常、眼鏡を作る場合には、ユーザの視力検査（度数検査）データに基づいてレンズ設計が行われる。度数検査時のレンズのそり角（視軸に直交する軸に対するレンズの角度）は、一般的に０度に設定されている。しかしながら、ユーザが選択する眼鏡フレームの形状に応じて、実際に使用時のそり角が決まる。レンズを眼鏡フレームに装着した状態における眼鏡の度数は、そり角によって変化する。そのため、湾曲の大きな眼鏡フレームを選択した場合にはそり角が大きくなり、見え心地に影響する。
【０００３】
そのため、眼鏡をかけた時により良好な視界が得られるようにするためには、眼鏡フレームのそり角に応じたレンズ設計が望まれる。従来、そり角を測定する装置として、例えば、眼鏡フレームのヤゲン溝の３次元形状を測定する装置が知られている（特許文献１参照）。３次元データにより算出されるそり角に基づいてレンズ設計を行うことで、より良好な視界が得られる眼鏡を提供することができる。しかしながら、３次元形状を測定する装置は、眼鏡店において導入するには非常に高価であるという欠点を有している。
【０００４】
一方、眼鏡フレームのそり角を安価に測定する方法として、そり角測定チャートを用いて眼鏡フレームのそり角を測定する方法が知られている。そり角測定チャートには、視軸の方向を示す直線と、その直線に直交する直線と、それらの交点を通る複数の傾斜した直線が記載されている。傾斜した直線の各々の角度がそり角を示す。眼鏡フレームのそり角を測定する場合には、チャート上に眼鏡フレームを載置し、レンズが納められるレンズ枠の部分と傾斜した直線とを比較することで、そり角を測定することができる。
【先行技術文献】
【特許文献】
【０００５】
【特許文献１】特許第５２０４５９７号公報
【発明の概要】
【発明が解決しようとする課題】
【０００６】
しかしながら、レンズ枠が湾曲しているため、湾曲しているレンズ枠のどの箇所を傾斜した直線と比較するかによって計測されるそり角が異なることになる。従来のそり角測定チャートを用いるそり角測定方法では、レンズ枠のどの箇所を測定箇所とするかの見極めが難しく、測定誤差が大きいという問題点があった。
【課題を解決するための手段】
【０００７】
請求項１の発明に係るフレームそり角測定ツールは、ブリッジを介して設けられた一対のレンズ枠を備える眼鏡フレームの、そり角測定に用いられるフレームそり角測定ツールである。そして、前記レンズ枠のブリッジ側ヤゲン溝に係合する第１係合部および前記ブリッジ側ヤゲン溝に対向するテンプル側ヤゲン溝に係合する第２係合部を有し、前記ブリッジ側ヤゲン溝と前記テンプル側ヤゲン溝との間に差し渡されるように装着されるツール装着部と、前記ツール装着部に固定され、前記第１係合部と前記第２係合部とを結ぶ直線と平行な縁を有するそり角測定用部材と、を備えたことを特徴とする。
請求項２の発明は、請求項１に記載のフレームそり角測定ツールにおいて、前記第１係合部と前記第２係合部との間隔が可変であることを特徴とする。
請求項３の発明は、請求項２に記載のフレームそり角測定ツールにおいて、前記第１係合部または前記第２係合部は、前記第１係合部と前記第２係合部とを結ぶ直線に沿ってスライド可能に構成されていることを特徴とする。
請求項４の発明は、請求項２または３に記載のフレームそり角測定ツールにおいて、
前記第１係合部および前記第２係合部の少なくとも一方を、前記第１係合部と前記第２係合部との間隔が広くなる方向に付勢する弾性部材を備えたことを特徴とする。
請求項５の発明は、請求項１乃至４のいずれか一項に記載のフレームそり角測定ツールにおいて、前記第１係合部および前記第２係合部の先端形状は、先細り形状であることを特徴とする。
請求項６の発明は、請求項１乃至５のいずれか一項に記載のフレームそり角測定ツールにおいて、前記そり角測定用部材は、前記第１係合部と前記第２係合部とを結ぶ直線に対して平行に設けられた板部材であることを特徴とする。
請求項７の発明による眼鏡レンズ製造方法は、請求項１乃至６のいずれか一項に記載のフレームそり角測定ツールによって測定されたそり角を用いて眼鏡のレンズを製造することを特徴とする。
【発明の効果】
【０００８】
本発明によれば、眼鏡フレームのそり角を容易にかつ正確に計測することができるフレームそり角測定ツールを、安価に提供することができる。
【図面の簡単な説明】
【０００９】
【図１】図１は、本発明によるフレームそり角測定ツールの一実施形態を示す図である。
【図２】図２は、図１に示したフレームそり角測定ツールの横断面図である。
【図３】図３は、眼鏡フレームのそり角を説明する図である。
【図４】図４は、従来から知られているそり角の簡易的な測定方法を示す図である。
【図５】図５は、眼鏡フレーム３のレンズ枠３１に装着された状態のフレームそり角測定ツール１を示す断面図である。
【図６】図６は、フレームそり角測定ツールの第１変形例を示す図である。
【図７】図７は、フレームそり角測定ツールの他の第２変形例を示す図である。
【図８】図８は、フレームそり角測定ツールの他の第３変形例を示す図である。
【発明を実施するための形態】
【００１０】
以下、図を参照して本発明を実施するための形態について説明する。図１は本発明によるフレームそり角測定ツールの一実施形態を示す図であり、フレームそり角測定ツール１の外観斜視図である。フレームそり角測定ツール１は、眼鏡フレームのレンズ枠に装着されるツール装着部１２と、ツール装着部１２に固定されたそり角測定用プレート１１とを備えている。そり角測定用プレート１１は、ツール装着部１２のボディ１２１に設けられた固定部１２２に一体に設けられている。もちろん、別体であっても良い。
【００１１】
ボディ１２１は略立方体形状を有しており、固定部１２２はそのボディ１２１の面１２１ａから突出するように設けられている。ボディ１２１の面１２１ａに隣接した面１２１ｂには、係合爪部１２４ｂが固定されている。一方、面１２１ｂの反対側の面１２１ｃには、そり角測定用プレート１１の延在方向にスライド可能なスライド部１２３が設けられている。スライド部１２３には係合爪部１２４ａが固定されている。係合爪部１２４ａ，１２４ｂは、先端に近づくほど幅が狭くなるような形状を有している。
【００１２】
図２は、図１に示したフレームそり角測定ツールの横断面図である。ボディ１２１内には矩形断面の空洞１２１１が形成されており、スライド部１２３の図示左側の部分は空洞１２１１内に収納されている。スライド部１２３の符号１２１２を付した部分はガイド部であって、スライド部１２３は、ガイド部１２１２が空洞１２１１の内周面と当接した状態で左右にスライドすることができる。スライド部１２３は、ボディ１２１内に設けられたコイルバネ１３によって係合爪部１２４ａ，１２４ｂの間隔が広くなる方向に、すなわちスライド部１２３をボディ１２１から押し出す方向に付勢されている。
【００１３】
係合爪部１２４ｂは、スライド部１２３の右端に形成されたフランジ部１２３１に固定されている。係合爪部１２４ｂの符号Ｄで示す面を矢印で示すように左方向に押し込むことによって、スライド部１２３が左方向にスライド移動し、係合爪部１２４ａの先端と係合爪部１２４ｂの先端との間隔Ｌを変更することができる。
【００１４】
係合爪部１２４ａ，１２４ｂは同一直線、すなわち、同一平面Ｐに沿って配置されており、スライド部１２３をスライド移動すると係合爪部１２４ａは面Ｐに沿ってスライド移動する。さらに、そり角測定用プレート１１は係合爪部１２４ａ，１２４ｂに対して平行に設けられている。そり角測定用プレート１１の幅寸法（図２の紙面に直交する方向の寸法）は一定に設定されているので、そり角測定用プレート１１の縁１１１と係合爪部１２４ａ，１２４ｂの先端とを結ぶ直線とは平行になっている。
【００１５】
本実施の形態のフレームそり角測定用ツール１は、眼鏡フレームのそり角を測定する際に用いられる。図３は眼鏡フレームのそり角を説明する図であり、図３（ａ）は眼鏡フレーム３を上方から見た平面図、図３（ｂ）は眼鏡フロント側から見た正面図である。図３（ｂ）に示すように、レンズ４が装着される一対のレンズ枠３１は、ブリッジ３２によって接続されている。一対のレンズ枠３１の両側には、眼鏡フレーム３をユーザの耳に掛けるためのモダンと呼ばれる屈曲部が形成されたテンプル３３がそれぞれ設けられている。
【００１６】
視軸Ｌに対して直交する線分ｍに対するレンズ枠３１の傾斜角（すなわち、レンズ４の傾斜角）θを、一般に眼鏡フレーム３のそり角θと呼称している。図３に示す眼鏡フレーム３の場合、レンズ枠３１の部分がフェイスプロフィールに沿うように大きく湾曲しているため、そり角θも大きくなっている。前述したように、そり角があると、そり角によって眼鏡の度数が変化するため、見え心地に影響を与える。そのため、より良好な視界が得られるようにするために、眼鏡フレーム３のそり角を計測して、その計測結果に応じてレンズ設計を調整することが行われている。
【００１７】
図４は、従来から知られているそり角の簡易的な測定方法を示す図であり、そり角測定チャートと眼鏡フレーム３の一部を示す図である。チャート用紙５には、視軸の方向を示す直線５１と、直線５１に直交する直線５２と、それらの交点を通る複数の傾斜した直線５３が記載されている。これらの直線５３の傾き角度θがそり角を示している。眼鏡フレーム３のように湾曲が大きいフレームでは、レンズ枠３１のどの部分を計測するかでそり角θが異なるため、測定が難しく、測定誤差が大きい。
【００１８】
図４（ａ）は符号Ｂ１で示す部分を計測した場合を示し、と図４（ｂ）は符号Ｂ２で示す部分を計測した場合を示す。符号Ｂ１の部分で計測するとそり角θは１４度となり、符号Ｂ２の部分で計測するとそり角θは２２度となる。このように湾曲の大きな眼鏡フレーム３では、適切な計測場所が分かり難く、計測場所が僅かに異なるだけでそり角θが８度も異なってしまう。
【００１９】
一方、本実施の形態のフレームそり角測定ツール１を用いることで、そり角測定チャートを用いたそり角測定を、より簡単に、かつ、より正確に行うことが可能となる。図５は、眼鏡フレーム３のレンズ枠３１に装着された状態のフレームそり角測定ツール１を示す断面図である。ツール装着部１２をレンズ枠３１に装着する際には、スライド部１２３をボディ１２１内に押し込んで、係合爪部１２４ａ，１２４ｂをレンズ枠３１のヤゲン溝３１１ａ，３１１ｂに嵌め込む。
【００２０】
図５に示す例では、テンプル側のヤゲン溝３１１ａに係合爪部１２４ａの先端が挿入され、ブリッジ側のヤゲン溝３１１ｂに係合爪部１２４ｂの先端が挿入されている。スライド部１２３を押し込む操作を止めると、コイルバネ１３の付勢力Ｆによって係合爪部１２４ａ，１２４ｂがそれぞれヤゲン溝３１１ａ，３１１ｂに係合し、フレームそり角測定ツール１のツール装着部１２がレンズ枠３１に装着される。
【００２１】
なお、ヤゲン溝３１１はレンズ枠３１の内周を一周するように形成された一つの溝であるが、ここでは説明を分かり易くするために、テンプル側に近いヤゲン溝領域を符号３１１ａで示し、ブリッジ側に近いヤゲン溝領域を符号３１１ｂで示した。なお、ヤゲン溝３１１はＶ字形状の溝に限らない。
【００２２】
なお、図１に示すように、係合爪部１２４ａ，１２４ｂの幅を先端に近づくほど幅が狭くなる先細り形状とすることにより、係合爪部１２４ａ，１２４ｂのヤゲン溝３１１への係合を容易とすることができる。また、係合爪部１２４ａ，１２４ｂの厚さに関しても、先端に近づくほど薄くなる先細り形状（すなわち楔形状）とするのが好ましい。
【００２３】
フレームそり角測定ツール１をレンズ枠３１に装着したならば、フレームそり角測定ツール１を装着した状態で眼鏡フレーム３をチャート用紙５上に載置する。そして、眼鏡フレーム３の視軸方向をチャート用紙５の直線５１と一致させた状態で、眼鏡フレーム３の位置を調整して、そり角測定用プレート１１の縁１１１の左端を直線５１と直線５２との交点と一致させる。そして、そり角測定用プレート１１の縁１１１と直線５３とを比較して、そり角θを測定する。図５に示す例では、眼鏡フレーム３のそり角θは４度であることが分かる。
【００２４】
以上説明したように、本実施の形態のフレームそり角測定ツール１は、ブリッジ３２を介して設けられた一対のレンズ枠３１と一対のレンズ枠３１の各々に設けられたテンプル３３とを備えた眼鏡フレーム３の、そり角測定に用いられるものであって、ツール装着部１２と、ツール装着部１２に固定され、第１係合部（すなわち、係合爪部１２４ａの先端）と第２係合部（すなわち、係合爪部１２４ｂの先端）とを結ぶ直線と平行な縁１１１を有するそり角測定用プレート１１を備えている。
【００２５】
眼鏡フレーム３のそり角、すなわちレンズ４のそり角は、テンプル側ヤゲン溝３１１ａとブリッジ側ヤゲン溝３１１ｂとを結ぶ直線の傾斜角であると考えて良い。そのため、テンプル側ヤゲン溝３１１ａに係合している係合爪部１２４ａの先端と、ブリッジ側ヤゲン溝３１１ｂに係合している係合爪部１２４ｂの先端とを結ぶ直線の傾斜角は、そり角に一致する。そして、そり角測定用プレート１１の縁１１１は、係合爪部１２４ａ，１２４ｂの先端を結ぶ直線と平行なので、縁１１１の傾斜角（すなわち、そり角）をチャートの直線５３と比較することにより、容易にかつ正確に眼鏡フレーム３のそり角を計測することができる。さらに、ヤゲン溝をトレースしてそり角を計測する測定装置は非常に高価であるが、それに比較して、本実施の形態のフレームそり角測定ツール１は非常に安価に提供することができる。
【００２６】
なお、上述した実施の形態では、そり角測定用部材として縁１１１を備えるそり角測定用プレート１１としたが、係合爪部１２４ａ，１２４ｂの先端を結ぶ直線と平行な縁１１１を備えていれば平板状に限らない。例えば、棒状であっても構わない。
【００２７】
また、図５に示すようにコイルバネ１３の付勢力Ｆによって係合爪部１２４ａの先端をヤゲン溝３１１に押圧することにより、ツール装着部１２をレンズ枠３１に装着したが、付勢力Ｆを発生することができるものであればコイルバネ１３に限らず、板バネやゴム部材等の弾性部材を用いることができる。
【００２８】
さらには、図６に示すような構成とすることで、弾性部材を用いることなく装着することができる。図６に示すフレームそり角測定ツール１では、つまみネジ１４をスライド部１２３に設けた。つまみネジ１４は、ボディ１２１に形成された長孔１２１３を貫通するように、スライド部１２３に螺合している。長孔１２１３は、スライド部材１２３のスライド方向（図示左右方向）に細長い長孔である。
【００２９】
スライド部材１２３を左右方向にスライドさせる際には、先ず、つまみネジ１４を緩める。そして、係合爪部１２４ａ，１２４ｂがレンズ枠３１のヤゲン溝３１１（３１１ａ，３１１ｂ）に填り込むようにツール装着部１２をレンズ枠３１に装着し、つまみネジ１４を締め込むんでツール装着部１２をレンズ枠３１に固定する。
【００３０】
また、図２に示した構成では、一方の係合爪部１２４ａを他方の係合爪部１２４ｂに対してスライド移動可能としたが、図７に示すように、係合爪部１２４ａ，１２４ｂをスライド可能とせず、それらの間隔が一定に構成されていても良い。図７に示す構成では、係合爪部１２４ａ，１２４ｂはボディ１２１に固定されている。このような構成の場合、以下のようにしてフレームそり角測定ツール１をレンズ枠３１に装着する。
【００３１】
図７（ａ）に示すように、レンズ枠３１の左右方向の間隔が大きい所から係合爪部１２４ａ，１２４ｂをレンズ枠３１内に配置する。その後、図７（ｂ）に示すように、左右方向のヤゲン溝３１１の間隔が小さくなっているレンズ枠下方にフレームそり角測定ツール１の全体を移動させ、係合爪部１２４ａ，１２４ｂをレンズ枠３１のヤゲン溝３１１に嵌め込むようにする。それにより、フレームそり角測定ツール１がレンズ枠３１に装着される。
【００３２】
なお、図２に示したフレームそり角測定ツール１では、係合爪部１２４ａ，１２４ｂがスライド移動する構成であったが、スライド移動に限らず、図８に示す構成のように係合爪部１２４ａと係合爪部１２４ｂとの間隔が変化する構成でも良い。図８では、係合部爪部１２４ａ，１２４ｂの先端は、引っ張りバネ２１の力によって、矢印で示すように軸２０を中心とする円弧上を移動する。
【００３３】
なお、眼鏡レンズを製造する際には、そり角がレンズの光学性能に及ぼす影響を考慮して、レンズを設計する。例えば、特開２００５−２８４０５９号公報や、特開２００９−８６５６８号公報に開示されている技術に、上述したフレームそり角測定ツール１によって測定されたそり角を適用し、そり角による装用度数の過矯正を補正するように、Ｓ度数を下げたりプリズムを付加してレンズを設計する。そして、このレンズの設計結果に基づいて、レンズ基材を加工して眼鏡レンズを製造する。このように、上記で説明したフレームそり角測定ツールによって測定されたそり角を用いて眼鏡のレンズを製造する。これにより、眼鏡フレームのそり角に応じて適した眼鏡レンズを製造することができる。
【００３４】
上述した各実施形態はそれぞれ単独に、あるいは組み合わせて用いても良い。それぞれの実施形態での効果を単独あるいは相乗して奏することができるからである。また、本発明の特徴を損なわない限り、本発明は上記実施の形態に何ら限定されるものではない。
【符号の説明】
【００３５】
１…フレームそり角測定ツール、３…眼鏡フレーム、４…レンズ、５…チャート用紙、１１…そり角測定用プレート、１２…ツール装着部、１３…コイルバネ、１４…つまみネジ、３１…レンズ枠、３２…ブリッジ、３３…テンプル、１１１…縁、１２１…ボディ、１２２…固定部、１２３…スライド部、１２４ａ，１２４ｂ…係合爪部、３１１，３１１ａ，３１１ｂ…ヤゲン溝、１２１２…ガイド部、θ…そり角
【図１】
2015152536.tif 000003
【図２】
2015152536.tif 000004
【図３】
2015152536.tif 000005
【図４】
2015152536.tif 000006
【図５】
2015152536.tif 000007
【図６】
2015152536.tif 000008
【図７】
2015152536.tif 000009
【図８】
2015152536.tif 000010